Podtech/llm-jp-corpus-v4-ja_patent huggingface dataset:
(57)【要約】〔課題〕  従来のリスニング能力開発システムは、ただ聞かせるのみで、学習者は自己の客観的リスニング能力を把握することが出来なかった。更に、リスニング能力の評価は、リスニング内容を問う問題であり学習者に音声を発することを要求するものでなかったので、正確にリスニング能力を評価できなかった。〔解決手段〕  リスニング能力を聞き取れる単語数で客観的に段階的に分類することによって、学習者は自己のリスニング能力を客観的に把握でき、そして、段階的評価なので常に目標が持て努力が継続できる。更に、評価が学習者のリピート音声を音声認識ソフトで行なうので、学習者のリスニング能力を１音ごと正確に評価できる。【選択図】図１
2005165243.tif 000002
【特許請求の範囲】
【請求項１】
学習支援評価センターが学習者に対し、リスニング能力を聞き取れる単語数によって段階的に能力開発できる講義・練習問題をインターネットで配信し、その評価を学習者が発するリピート音声を音声認識ソフトで行なう段階的リスニング能力開発システム。
【発明の詳細な説明】
〔技術分野〕
【０００１】  本発明は、学習者の努力の継続化を図る段階的リスニング能力開発システムに関する。
〔背景技術〕
【０００２】  従来のリスニング能力開発システムはただ聞かせるだけのものである。
〔発明の開示〕
〔発明が解決しようとする課題〕
【０００３】  以上に述べたリスニングシステムでは学習者は自己のリスニング能力の向上を客観的に把握できず、リスニング能力がスピーキング能力に生かされないことに不安をもち努力が継続できなかった。
【０００４】  本発明は、従来のシステムが有していた問題を解決しようとするものであり、学習者のリスニング能力を段階的に分類し、その評価を音声認識ソフトによって行うシステムを開発することによって、学習者が常に自己のリスニング能力を客観的に把握しその向上を喜び、その喜びを努力の継続のエネルギーに変換できることを目的とするものである。
〔課題を解決するための手段〕
【０００５】  そして、本発明は上記目的を達成するためにリスニング能力を単語数に応じて段階的に分類する。１単語を聞き取る能力、２単語からなる文を聞き取る能力、３単語からなる文を聞き取る能力と段階的に単語数を増やし、その評価は１単語を聞き取る能力を１０級と評価すれば１０単語からなる文を聞き取る能力は１級と評価する。インターネットを利用すれば学習者はいつでもどこでもこの評価を受けられる。
【０００６】  また、第２の課題解決手段は、音声認識ソフトを利用することによって解決する。リスニング能力は聞いたことをそのままリピートさせることによって正確に１音ごと評価できる。リピートによる評価方法は同時にスピーキング能力開発にもつながる。
【０００７】  上記第１の課題解決手段による作用は次の通りである。学習者は自己のリスニング能力を段階的に客観的に把握し、常に目標をもって学習できる。更に、インターネットを利用することによって、常時自動採点・自動評価システム利用を可能にし迅速性・公正公平が実現できるので学習者の意欲を継続的に刺激できる。
【０００８】  また、第２の課題解決手段による作用は、学習者はリピートによる評価を受けているので同時にスピーキング能力が開発される結果となる。
〔発明の効果〕
【０００９】  上述したように本発明の段階的リスニング能力開発システムは、偏差値的比較による優越感・劣等感を刺激するのではなく、向上心を刺激することによって学習を継続させるので、楽しみながら自らのペースでリスニング能力を身につける効果がある。
【００１０】  この学習システムが普及することは日本の伝統的トレーニング教育が見直され学力低下を阻止する効果がある。
〔発明の実施するための最良の形態〕
【００１１】  以下、本発明の実施の形態を図１に基づいて説明する。
【００１２】  図においてはすべてインターネットで情報を伝達する、１は学習者が学習支援評価センターに要求する指導内容、２は学習支援評価センターから学習者に提供されるサービス内容、３は学習者から学習支援評価センターになされる評価試験申込内容、４は学習支援評価センターから提供される評価試験内容。
【００１３】  以下、上記構成の内容を説明する。１の内容は、学習者が学習したい段階のリスニング能力開発の講義・練習問題を学習支援評価センターに要求することである。２の内容は、学習支援評価センターは学習者が要求した段階のリスニング能力開発の講義、練習問題を配信することである。３の内容は、学習者が学習支援評価センターに評価試験の申込をし、試験結果・自己学習進度状況の情報を常に要求できることである。４の内容は、学習支援評価センターが学習者に申込のあった範囲の試験問題を配信し、試験結果・個人別学習進度状況の情報を提供することである。
【図面の簡単な説明】
【００１４】
【図１】  学習者と学習支援評価センターとの関係図
【符号の説明】
【００１５】  １  学習者が学習支援評価センターに要求する内容。
２  学習支援評価センターから学習者に提供されるサービス内容。
３  学習者から学習支援評価センターになされる評価試験申込内容。
４  学習支援評価センターから提供される評価試験内容。
【図１】
2005165243.tif 000003
(57)【要約】【課題】  紙葉類取扱装置において紙幣投入時、鑑別部にて不良と判断された紙幣はエンドユーザーに返却され、再投入又は投入中止の操作を実施するが、この再投入された紙幣の投入状態によっては、入出金口内で残留を検知出来ない場合があった。  本発明は、入出金口内に残留した紙幣の検知を可能とする。【解決手段】  投入した紙幣が鑑別部にて不良と判断されて、再投入した後の、収納動作において入出金口内の押板および内部シャッタを動作させることによって、水平挿入されて残留が検知出来なかった紙幣の姿勢を崩すことにより残留検知を可能とする。【選択図】  図１
2005165577.tif 000002
【特許請求の範囲】
【請求項１】
投入された紙幣を押板を動作する事で分離繰出しを行い、装置内から搬送された出金／返却紙幣をスタックする機構を備えた入出金口において紙幣収納動作時、入出金口内で残留検知出来なかった紙幣を押板および内部シャッタを動作させることにより、配備された残留検知センサで残留検知可能となる制御方法を備えたことを特徴とする紙葉類取扱装置。
【発明の詳細な説明】
【技術分野】
【０００１】
本発明は投入された紙幣を分離繰出し、又、装置内から搬送された紙幣を一括して返却
または再取扱処理する紙葉類取扱装置に関する。
【背景技術】
【０００２】
現金自動取引装置における紙葉類取扱部は紙幣を入出金口に投入した後、鑑別部にて不良と判断された紙幣はエンドユーザーに返却して、再投入又は投入中止の操作を実行する。その後、一旦計数された紙幣を各金種のスタッカ等に搬送する収納動作が行われるが、従来技術ではこの収納動作時、入出金口内の押板等の機構部品の動作は実施していなかった。
【０００３】
この為、鑑別部で不良と判断された紙幣を再投入された場合、紙幣の投入状態によっては紙幣の残留が検知が出来ないという欠点があった。
【０００４】
【特許文献１】特開平７−５７１３１号公報
【発明の開示】
【発明が解決しようとする課題】
【０００５】
解決しようとする問題点は、紙幣を入出金口に投入し、鑑別部にて不良と判断された紙幣を再投入された場合、紙幣の投入状態によっては、入出金口内における紙幣の残留検知が出来ない点である。
【課題を解決するための手段】
【０００６】
本発明は、鑑別部にて不良と判断された紙幣を再投入された場合、入出金口内での紙幣の残留が検知出来ない不具合を防止する為、計数後に行われる各金種スタッカへの収納動作時に、入出金口内の紙幣を分離繰出す為の押板と装置内から搬送された紙幣の姿勢を整える為の内部シャッタを動作させる事を最も特徴とする。
【発明の効果】
【０００７】
本発明によれば、計数された紙幣を各金種スタッカに搬送する収納動作時、入出金口内の押板および内部シャッタが動作する為、鑑別部で不良と判断された紙幣を再投入された場合における入出金口内の残留検知を強化することが出来るので、再投入された紙幣の残留が検知出来ず、次の取引でシャッタが開いた時、紙幣が残留していた等のトラブルを防止することが出来る。
【発明を実施するための最良の形態】
【０００８】
再投入された紙幣のセット状態に係わらず、入出金口内での紙幣の残留を検知するという目的をセンサ等の部品を追加することなく、紙幣収納動作において、押板および内部シャッタを動作させることで実現した。
【０００９】
以下、本発明の実施例について説明する。図１は本発明の一実施例を示す紙葉類分離機構の構成図である。本実施例では現金自動取引装置での紙幣入出金口として説明する。
【００１０】
入金取引では、まずシャッタ１が開き、紙幣２が一括投入される。投入完了後、シャッタ１が閉じ、押板３が紙幣２を繰出すために前板４側に動作して紙幣２を押さえ付け、外周の一部分にゴムを配したピックアップローラ５とフィードローラ６を動作させることにより紙幣２が分離され矢視Ａ方向に１枚ずつ搬送される。搬送された紙幣は図示せぬ鑑別部で紙幣の真偽を判定し、正常紙幣は図示せぬスタック部に搬送される。又、鑑別部で不良と判断されたリジェクト紙幣については、矢視Ｂ方向より搬送ローラ７，８により入出金口内に搬送される。この時、入出金口内の押板３は図２に示す位置に移動し、この動作に連動して動作する搬送された紙幣の姿勢を整えるための内部シャッタ９が手前に移動する。搬送が終了すると押板３と内部シャッタ９はそれぞれ図１の位置に戻り、シャッタ１が開きエンドユーザーにリジェクト紙幣１０を返却する。
【００１１】
ここで、リジェクト紙幣１０を再投入する際、図３のように内部シャッタ９が定位置に戻りきれない位置にあると、その上にリジェクト紙幣を１１のように水平に置かれると、残留センサ１２，１３，１４で検知出来ず、シャッタ１が閉じた後、一旦計数クされた紙幣を図示せぬ各金種スタッカに搬送する収納動作が行われ取引が終了する。この場合、水平に再投入されたリジェクト紙幣１１は残留が検知できなかった為、そのまま入出金口内に残留して、次の取引でシャッタ１が開いた時、エンドユーザーに発見されるという不具合があった。そこで、リジェクト紙幣があった場合の収納動作にて、押板３を図４に示すように入金位置Ｃ→分離位置Ｄ→入金位置Ｃ→出金位置Ｅ→入金位置Ｃに動作させる制御を実施することで、押板３又は、内部シャッタ９により、水平に投入されたリジェクト紙幣１１の姿勢を崩して、残留センサ１２，１３，１４のいずれかにより検知することが出来る。
【産業上の利用可能性】
【００１２】
紙幣入出金口内の機構部を収納動作時、動作させることによって、多数箇所の残留センサが実装できない、紙幣入出金口にも適用できる。
【図面の簡単な説明】
【００１３】
【図１】本発明の実施方法の動作を説明する図である。
【図２】本発明の実施方法の動作を説明する図である。
【図３】本発明の実施方法の動作を説明する図である。
【図４】本発明の実施方法の動作を説明する図である。
【符号の説明】
【００１４】
１…シャッタ、２…紙幣、３…押板、４…前板、５…ピックアップローラ、６…フィードローラ、７，８…搬送ローラ、９…内部シャッタ、１０…リジェクト紙幣、１１…水平投入されたリジェクト紙幣、１２〜１４…残留検知センサ。
【図１】
2005165577.tif 000003
【図２】
2005165577.tif 000004
【図３】
2005165577.tif 000005
【図４】
2005165577.tif 000006
(57)【要約】【課題】  正確な周波数信号を必要とする回路では、スペクトラム拡散法（ＳＳＣＧ）を利用できない。【解決手段】  非周波数変調クロック信号を、回路毎にクロック信号の位相が重ならない様に位相を調整する位相調整器を備えた。【選択図】  図１
2005165498.tif 000002
【特許請求の範囲】
【請求項１】
周波数変調クロックを用いる回路と、非周波数変調クロックを用いる複数の回路とを有したプリンタ装置において、上記非周波数変調クロックを、各被供給クロック回路毎にクロックの位相が重ならない様に位相を調整する位相調整器を設けて成る事を特徴とするプリンタ。
【発明の詳細な説明】
【技術分野】
【０００１】
プリンタに関するものである。
【背景技術】
【０００２】
近年、電子部品の処理の高速化は目覚しいものがある。とりわけ、ＣＰＵ（中央演算処理装置）の高速化は顕著である。
【０００３】
そのため、電子部品を用いた機器の高速化も目覚しいものがある。
【０００４】
インクジェットプリンタに分野においても、例がいではなく、日増しに高速化がなされている。
【０００５】
ここで、電子機器の高速化の為には、電子部品の基準クロック周波数を高くして高速化が図られている場合がほとんどである。
【０００６】
このとき、問題に成って来るのが、クロックの高周波化、ひいては、電子部品の実動作周波数の高周波化に伴い、各種ノイズが増加する事である。
【０００７】
即ち、通常動作周波数帯域においては、クロックノイズの電源への混入による誤動作や、高周波数帯域での、不要輻射等である。
【０００８】
そこで、従来からより簡便にこれらノイズのエネルギーを削減する方法として、スペクトラム拡散法（ＳＳＣＧ）が用いられている。
【０００９】
これは、基準クロックの周波数を、低周波数（例えば、数十KHz）で周波数変調する手法であり、単位時間当たりの各周波数におけるエネルギーを分散させ実行エネルギーを削減しようとするものである。
【特許文献１】特開２００３−１１４７３３号公報
【発明の開示】
【発明が解決しようとする課題】
【００１０】
この手法は、実質的な効果を挙げ、種々用いられているのであるが、正確な周波数信号が必要な部分（回路部分）では、用いる事ができなかった。
【００１１】
例えば、外部との情報のやり取りをする為のインターフェース回路では、情報伝達距離が長いため、周波数変調を行うと実質的に正しく情報伝達できない事と、また、各種の機器と正しく情報伝達を行う為に、周波数精度が規格化されている事等によるものである。
【００１２】
例えば、ＵＳＢ規格などがそれにあたる。
【００１３】
特に、この様な、外部とのインターフェース回路を複数用いた場合には、回路で消費される電力が複数倍になるに伴い、各種ノイズも複数倍になりよりノイズが増加していた。
【００１４】
この例を図２に簡単に示しておく。
【００１５】
図２は、プリンタに用いられている回路の概略ブロック図である。
【００１６】
図２の例では、インターフェース回路が３種ある場合の図である。
【００１７】
ＣＰＵ１は、バス１０を介して、ＣＰＵのプログラムコードを記憶しているＲＯＭ２、ＣＰＵ１および処理装置４のワークエリヤ用ＲＡＭ３、プリンタでの必要な処理を行う為の処理装置４、インターフェース用のブロックＵＳＢ（１）５、ＵＳＢ（２）６、ＵＳＢ（３）７、と接続されている。
【００１８】
また、クロック系統は、源発振の発振器９からのクロックが、ＳＳＣＧ８を介して周波数変調された後、ＣＰＵ１、ＲＯＭ２、ＲＡＭ３、処理装置４へ送られると共に、一方は、源発振のままＵＳＢ（１）５、ＵＳＢ（２）６、ＵＳＢ（３）７へ送られている。
【００１９】
図からも明らかな様に、ＳＳＣＧ８を介していないブロックＵＳＢ（１）５、ＵＳＢ（２）６、ＵＳＢ（３）７では、ノイズ成分が３倍に増加してしまう。
【００２０】
これは、クロックに同期して、３つのブロックの回路が同時に動作し、クロックの変化点も重なり、この変化点で、回路の貫通電流（ひいては、瞬間の消費電流）が増加する為である。
【課題を解決するための手段】
【００２１】
上述した様な問題を解決するため、非周波数変調クロックを用いている回路ブロックに供給するクロックの位相調整を行う位相調整器を設け、各回路でのクロックの変化が同時に起こらない用にし、クロックの変化に依る瞬間的なノイズ量を回路ブロック１つ分に相当する量になる用に構成したものである。
【発明の効果】
【００２２】
上述の様に、非周波数変調クロックを用いている複数の回路ブロックに供給するクロックの位相調整を行う位相調整器を設ける事により、上記回路ブロックからの同期性ノイズを軽減する事が可能となり、良好な回路動作が可能となると共に、人体に有害な不要輻射を軽減させることが容易となる。
【発明を実施するための最良の形態】
【００２３】
次の、本発明のプリンタの一実施例を図１に示す。
【００２４】
図１は、従来例の図２と基本構成は同じであり、同一箇所は、同じ符号をつけている。異なる箇所は、位相調整器１１が、発振器９とＵＳＢ（１）５、ＵＳＢ（２）６、ＵＳＢ（３）７との間に挿入されている点である。
【００２５】
そこで、位相調整器１１の動作について、説明する。
【００２６】
位相調整器１１は、クロックを供給する対象の数にあわせて、各供給対象のクロックの位相が重ならない様にPhase-Shifter（移相器）１１−１、１１−２、１１−３に依って位相調整する様に構成されている。
【００２７】
位相調整の一実施例を以下に示す。
【００２８】
即ち、各クロックの移相量は、クロックの種類の数をｎ、移相量をδφとすると、δφ≒π÷ｎと成る様に各移相器１１−１、１１−２、１１−３を調整すればよい。
【００２９】
別の表現をすると、各移相器１１−１、１１−２、１１−３の出力クロックの位相を各々φ１、φ２、φ３とすると、
φ１＝（φ３＋π）＋δφ＝φ２−δφ
φ２＝φ１＋δφ＝φ３−δφ
φ３＝φ２＋δφ＝（φ１＋π）−δφ
となるが、クロックの変化点は、０、πに存在するため、
φｎ±π＝φｎ  （ｎ＝１、２、３）
と成るため、
φ１＝φ３＋δφ＝φ２−δφ
φ２＝φ１＋δφ＝φ３−δφ
φ３＝φ２＋δφ＝φ１−δφ
｛φｎ＝φｎ±π  （ｎ＝１、２、３）｝
と成る様に、各移相器１１−１、１１−２、１１−３を設定すればよい。
【００３０】
すなわち、クロックが１つの場合は、クロックの変化点（立上り、立下り）は、０℃と１８０℃にある。
【００３１】
そこで、クロックが２つの場合は、各クロックの変化点が最も離れた位相に存在するのは、２つのクロックを９０℃ずらした状態である。
【００３２】
クロックが３つの場合は、各クロックの位相を６０℃づつずらした状態である。
【００３３】
各移相器１１−１、１１−２、１１−３は周知であるので、ここでは、説明を省略する。
【図面の簡単な説明】
【００３４】
【図１】本発明の実施形態の回路の概略ブロック図。
【図２】従来のプリンタに用いられている回路の概略ブロック図。
【図１】
2005165498.tif 000003
【図２】
2005165498.tif 000004
(57)【要約】【課題】  病院や老人ホームで、看護婦や看護人の巡回の合間に寝たきりの患者や老人が誤って、ベッドから落下し、この落下で容態をさらに悪化させるような状態を看護婦や看護人が知ることができない点である。【解決手段】  ベッド１の上に薄い圧電シート２を敷き、この圧電シート２の上に患者３が寝ている場合、圧電シート２から微弱電圧が発生するので、この微弱電圧は増幅器を内蔵した出力回路４で増幅されて出力を発生し、この出力回路４からの出力は通信ケーブル５を介して接続された表示器６で表示され、この表示器６は集中管理センター等に設置されるように構成されている。【選択図】図１
2005165455.tif 000002
【特許請求の範囲】
【請求項１】
べッドと、該べッドに敷かれる圧電シートと、該圧電シートの微弱電圧を増幅して出力する出力回路とからなり、該出力回路からの微弱電圧の有無により、前記べッドの前記圧電シート上の患者の存在を確認することを特徴とする患者確認装置。
【請求項２】
前記出力回路に通信ケーブルを介して表示器を接続し、前記微弱電圧を増幅して前記表示器で表示し、前記患者の有無を確認することを特徴とする請求項１記載の患者確認装置。
【請求項３】
前記出力回路に通信ケーブルを介してブザー等の発音器を接続して、前記患者の有無を確認することを特徴とする請求項１記載の患者確認装置。
【発明の詳細な説明】
【技術分野】
【０００１】
本発明は、病院及び老人ホームでの寝たきりの入院患者がべッド上に居るか、居ないかを確認する患者確認装置に関するものである。
【背景技術】
【０００２】
従来、病院や老人ホームでは、多数の寝たきりの入院患者や寝たきりの老人等の患者の様態を数人の看護婦や看護人が、特に夜間に定期的に巡回して管理しているが、この管理は少数の看護婦や看護人により行うため、巡回する時間間隔が長く、頻繁に患者の容体を確認することはできない。
【０００３】
従って、従来のこのよう病院や老人ホームでは、巡回と巡回の合間に患者がベッドから落下し、この患者の落下を看護婦や看護人が次の巡回まで知らないで、容態を悪化させてしまうというケースがあり、この患者のベッドからの落下を監視するシステムが望まれていた。
【特許文献１】特願
【発明の開示】
【発明が解決しようとする課題】
【０００４】
解決しようとする問題点は、病院や老人ホームで、看護婦や看護人の巡回の合間に寝たきりの患者や老人が誤って、ベッドから落下し、この落下で容態をさらに悪化させるような状態を看護婦や看護人が知ることができない点である。
【課題を解決するための手段】
【０００５】
本発明では、べッドに薄い圧電シートを敷き、患者がこの圧電シート上に寝ることにより発生する圧電シートからの微弱電圧を出力回路で増幅して出力することにより、この出力回路からの微弱電圧の有無を表示したり、発音器により発音して、べッドの上に敷かれている圧電シート上に患者が存在するかどうかを確認するものである。
【発明の効果】
【０００６】
本発明の患者確認装置は、ベッドの上に患者がいるかどうかを確認することにより、巡回の合間や看護婦又は看護人が患者の近くにいない場合に、患者がベッドから落下した時、圧電シートからの微弱電圧が発生していないことを表示したり、発音器で発音することにより、患者の落下を集中管理センターに通報し、患者の落下に対して短時間の対応をすることができるという利点がある。
【実施例】
【０００７】
図１は本発明の１実施例の患者確認装置の構成図で、ベッド１の上に薄い圧電シート２を敷き、この圧電シート２の上に患者３が寝ている場合、圧電シート２から微弱電圧が発生するので、この微弱電圧は増幅器を内蔵した出力回路４で増幅されて出力を発生し、この出力回路４からの出力は通信ケーブル５を介して接続された表示器６で表示され、この表示器６は集中管理センター等に設置されるように構成されている。
【０００８】
このように構成された本実施例の患者確認装置では、圧電シート２上に患者３が寝ている場合は微弱電圧が発生しているので、出力回路４で微弱電圧を増幅し、この増幅された出力は通信ケーブル５に接続された表示器６に出力され、この表示器６は集中管理センターやナース室に設置されることにより、この表示器６の表示で患者３がベッド１上の圧電シート上に居ることが確認でき、ここで、患者３がベッド２から落下した場合は、圧電シート２から微弱電圧が発生しないので、出力回路４の出力は０となり、表示器６で表示されなくなるので、これにより、患者がベッドから落下したことを知ることができ、この落下を知ると、看護婦や看護人は短時間で落下した患者の所へ行って処置することができるので、容体がさらに悪化することを防ぐことができる。
【産業上の利用可能性】
【０００９】
なお、上記実施例では、集中管理センターに表示器６を設けた例を説明したが、表示器６に発音器を設けて、表示器６で表示する代わりに、ブザー等の発音器で音を出すようにすれば、患者がベッドから落下したことを即座に知ることができ、より短時間の対応をすることができる。
【図面の簡単な説明】
【００１０】
【図１】本発明の１実施例の患者確認装置の構成図である。
【符号の説明】
【００１１】
１                ベッド
２                圧電シート
３                患者
４                出力回路
５                通信ケーブル
６                表示器
【図１】
2005165455.tif 000003
(57)【要約】【課題】  従来の使用されているお薬の手帳は医院などにかかり薬局にいくと薬の飲む量などをかきしるすためのお薬の手帳をもらいます。その、お薬の手帳は大きさが大きく持ち運びが不便でした。【解決手段】    お薬の手帳を従来より小型にして持ち運びが便利になるようにする。【選択図】    図１
2005246944.tif 000002
【特許請求の範囲】
【請求項１】
現在、医療機関にかかった場合、薬についての説明及び飲み合わせによる副作用の事故の予防のための薬の説明書及び他の医療機関にかかるときのため、お薬の手帳というものをいただきます。その、お薬の手帳というものは、現在の大きさというと、もちあるくのに不便なおおきさになっています。その、お薬の手帳を小型にして、持ち運び便利にしたものを新たに発明し、本、発明としたものである。
【請求項２】
本発明のお薬の手帳のおおきさは、従来のより小型であれば自由なおおきさにするる。
【請求項３】
本発明のお薬の手帳の材質は、さまざまなものにする。
【発明の詳細な説明】
【技術分野】
【０００１】  本発明は、従来の薬局などにおいて使用されているお薬の説明をしたお薬の手帳に関するものである。
【背景技術】
【０００２】  従来のお薬の手帳は約縦１４センチ７ミリ横１０センチであり、一般的なお金をいれる小型のお財布などにははいらずもちはこびが不便でした。【０００３】以下、図４により従来のお薬の手帳を説明する。【０００４】
【特許文献１】
【非特許文献】
【発明の開示】
【発明が解決しようとする課題】
【０００５】  以上に述べた従来のお薬の手帳は持ち運びが不便であった。【０００６】  本発明は、このような従来のお薬の手帳の大きさを、解決しようとしたものであり、使いかっての良いかたちすなわち小型にしたものである。
【課題を解決するための手段】
【０００７】  そして、本発明は、上記目的を達成するために上記のお薬の手帳を一般的な小型のお財布の大きさに入るように、小型化を実現する。
【発明の効果】
【０００８】上述したように本発明のお薬の手帳は小型になり、医院から医科大学病院へ通院するときなどに気軽に持ち運びが可能になり、前、病気などのためのお薬の飲んだことが、いろいろとわかるようになった。
【発明を実施するための最良の形態】
【０００９】  本発明は、他の医療機関にかかる場合などに、小型になって使いやすくなったお薬の手帳をお財布などにいれて、いつでもどこでももってあるくようにする。
【産業上の利用可能性】
【０００１０】  上述したように本発明のお薬の手帳は小型になり、気軽に持ち運びができるようになり使いやすいものが提供できるようになった。
【図面の簡単な説明】
【図１】  本発明のお薬の手帳
【図２】  本発明のお薬の手帳
【図３】  本発明のお薬の手帳
【図４】  従来の一般的に使用されているお薬の手帳
【符号の説明】
【図１】
2005246944.tif 000003
【図２】
2005246944.tif 000004
【図３】
2005246944.tif 000005
【図４】
2005246944.tif 000006
【手続補正書】
【提出日】平成17年5月19日(2005.5.19)
【手続補正１】
【補正対象書類名】特許請求の範囲
【補正対象項目名】全文
【補正方法】変更
【補正の内容】
【特許請求の範囲】
【請求項１】
現在、医療機関にかかった場合、薬についての説明及び飲みあわせによる副作用の事故の予防のための薬の説明書及び他の医療機関にかかるときのため、お薬の手帳というものをいただきます。その、お薬の手帳というものは、現在の大きさというと、もちあるくのに不便なおおきさになっています。その、お薬の手帳を小型にして、持ち運び便利にしたものを新たに発明し、本、発明としたものである。又、本発明のお薬の手帳に、さまざまな、おおきさの、穴を、さまざまな、位置や場所に、つけることができるようにした。又、本発明のお薬の手帳に、ブックカバ−などの、覆いや包装をつけるようにした。又、従来より、小さくした、さまざまな、おおきさや、かたちの、おくすりの、手帳にした。又、方法としても、従来より、小型にすることについても、できるようにした。又、方法としても、利用や活用などができるようにした。
【請求項２】
本発明のお薬の手帳のおおきさは、従来のより小型であれば自由なおおきさにするる。利用や活用ができるようにした。又、本発明のお薬の手帳に、さまざまな、おおきさの、穴を、さまざまな、位置や場所に、つけることができるようにした。又、本発明のお薬の手帳に、ブックカバ−などの、覆いや包装が、できるようにもした。又、従来より、小さくした、さまざまな、おおきさや、かたちの、おくすりの、手帳にした。小型にすることについても、できるようにした。又、方法としても、従来より、小型にすることについても、できるようにした。又、方法として、利用や活用などができるようにした。
【請求項３】
本発明のお薬の手帳の材質は、さまざまなものにする。又、本発明の、お薬の手帳に、さまざまな、おおきさの、穴を、さまざまな、位置や場所に、つけることができるようにした。又、従来より、小さくした、さまざまな、おおきさや、かたちの、おくすりの、手帳にした。又、本発明の、お薬の手帳に、ブックカバ−などの覆いや包装が、できるようにした。又、方法としても、従来より、小型にすることについても、できるようにした。又、方法として、利用や活用などが、できるようにした。
(57)【要約】【課題】高齢化社会の到来などにより充実した余暇利用への志向が高まって来ている現況にかんがみ、より効率的な社交ダンスなどの習得方法が望まれている。【解決手段】教習者の目の前約２０センチメートルの空間に小型の独習器を保持し、あらかじめ収録された社交ダンスなどのステッフを液晶表示面に表示し、教習者がそれを見ながら練習することにより、容易かつ効率的に習得できる。【選択図】図１
2005246009.tif 000002
【特許請求の範囲】
【請求項１】
社交ダンス等のステップの順序を液晶表示によりガイドする独習器をヘルメットなどに装着し、教習者の目の前約２０センチメートルの空間に保持し、教習者それを見ながらステップをするようにした社交ダンス等独習装置。
【請求項２】
独習器を鉢巻状保持具装裝着した請求項１に記載した社交ダンス等独習装置。
【請求項３】
独習器を胸部バンド保持具に装着した請求項１に記載した社交ダンス等独習装置。
【発明の詳細な説明】
【技術分野】
【０００１】  本発明は、高齢化社会の到来などにより、盛んになりつつあるレジャー志向、生涯教育に関する。
【発明の開示】
【発明が解決しようとする課題】
【０００２】  高齢化社会の到来に伴い、より充実した余暇利用が風潮となってきており、本発明はそのような要請にこたえようとするものである。
【課題を解決するための手段】
【０００３】  近時電子工学の進歩などにより、液晶表示も小型化され、こうした技術を活用すればテクニックの習得もたいへん容易になるとかんがえられるので、本発明による手段を講ずる。【０００４】  社交ダンスのステップを小型化された独習器に収録し、教習者の目の前に再生させ教習者はそのとおりステップすれば極めて効率よく習得ができる。
【発明の効果】
【０００５】  本発明は、以上説明したような形態で実施され、以下に記載されるような効果を奏する。【０００６】  高齢化社会の到来に伴い、より充実した余暇利用が望まれる現状において、そうした風潮の期待に応える事ができる。【０００７】  高齢の人々が高齢化するとともに低下する記憶力をカバーし、若年層など一般の人とともに人生をエイジョイすることができる。【０００８】  近時糖尿病ならびに境界糖尿病といわれる人が増加しつつあり国民保健上の大きな問題となっているが、こうしたことの対策としては適度の運動が必須のこととされており、本発明は人々が社交ダンスなどを愛好し、馴染むことにより良い影響をもたらすと考えられる。
【発明の実施するための最良の形態】
【０００９】  以下、本発明の実施の形態を図１〜図３に基づいて説明する。
【００１０】  図１において独習器１をヘルメット３に装着した場合を示すが、その装着には剛直性をもち、かつ屈曲可能な連結棒２を用い独習器１がぶれないようにする。
【００１１】  図２において独習器１を鉢巻状歩保持具４に装着した場合を示すが、その装着には剛直性をもち、かつ屈曲可能な連結棒２を用い独習器１がぶれないようにする。
【００１２】  図３において独習器１を胸部バンド保持具５に装着した場合を示すが、その装着には剛直性をもち、かつ屈曲可能な連結棒２を用い独習器１がぶれないようにする。
【００１３】  独習器１は内蔵するステップの教習課程を、押ボタンをもってダンスの種類、男性、女性むけ等に切替えられるようにする。
【図面の簡単な説明】
【００１４】
【図１】  保持具ヘルメットに独習器を装着した場合の図
【図２】  鉢巻式保持具に独習器を装着した場合の図
【図３】  胸バンド保持具に独習器を装着した場合の図
【符号の説明】
【００１５】    １  独習具
２  連結棒
３  ヘルメット型保持具
４  鉢巻状保持具
５  胸部バンド保持具
６  調節用尾錠
【図１】
2005246009.tif 000003
【図２】
2005246009.tif 000004
【図３】
2005246009.tif 000005
(57)【要約】【要    約】【課    題】  梅干の種を除去し食べやすくする。【解決手段】  氷バサミ（トング）状のバネ力のあるＶ字型フレーム本体（以下、本体と呼ぶ。）の二つある開口側先端を一方は、その先端から反対側の先端側に向かって棒状の突起（以下、突起と呼ぶ。）を設け、もう一方の先端はクランク状に曲がり、なおかつ、その先に前説の突起を受けるようパッキンを挿入した円形の受け皿（以下、受け皿と呼ぶ。）が付き本体を氷バサミ使用時の要領で持ち、その受け皿に梅干を載せ、突起を梅干上部中心に突き刺すように本体を握り、種を抜き取る突起▲２▼を設けたことを特徴とする梅干種除去具。【選択図】  【図１】
2005246004.tif 000002
【特許請求の範囲】
【請求項１】
梅干の種をきれいに取り除く器具
【発明の詳細な説明】
【発明の詳細な説明】
この発明は、梅干の種をきれいに簡単に取り除く器具である。
従来、梅干を食べようとした時そのまま食し、口の中で種だけを取出して果肉を食べたり、手で種だけを取り出しおにぎりに入れたりして食べますが、その時種に果肉が沢山残り不衛生であった。
本発明は、その欠点を除くためになされたものである。
図面について説明すれば図３（３−１）の本体の部に乗せその時梅干のヘタ（つる）の所を上にする。図３（３−２）ハンドル部を握り突起により中の種を突き落とすものである。
【図面の簡単な説明】
【図１】本発明の斜視図である。
【図２】本発明の上視図、横視図である。
【符号の説明】
Ａは受け皿    Ｂは刃
【図１】
2005246004.tif 000003
【図２】
2005246004.tif 000004
【図３】
2005246004.tif 000005
【手続補正書】
【提出日】平成16年5月14日(2004.5.14)
【手続補正１】
【補正対象書類名】明細書
【補正対象項目名】全文
【補正方法】変更
【補正の内容】
【発明の詳細な説明】
【技術分野】
【０００１】  本発明は、梅干を食する際に残す種を器具を用いて取り除く梅干の種除去具に関するものである。
【背景技術】
【０００２】  従来、梅干を食した時、梅干を口の中に入れ種だけを吐き出さなければならない。
梅干の種は、口の中で歯や舌を使い吐き出すとか、口の中に直接手指を入れ取り除いていた。また、料理等の具材として使用の時も手指によって、種を取り除いていた。
【発明の開示】
【発明が解決しようとする課題】
【０００３】  そのために、次のような問題点があった。
梅干を食する時に取り除かなければならない種を口の中で歯や舌を使い取り除くが、その際の種の誤飲や、料理等の具材として梅干の果肉を使用する時に手指により種を取り除いていたが、種に多量に果肉が残り、かつ、不衛生であった。
本発明は、以上の問題点を解決しようとするものである。
【課題を解決するための手段】
【０００４】  氷バサミ（トング）状のＶ字型フレーム本体（以下、本体と呼ぶ。）の二つある開口側先端を一方は、その先端から反対側の先端側に向かって棒状の突起（以下、突起と呼ぶ。）を設け、もう一方の先端はクランク状に曲がり、なおかつ、その先に前説の突起を受けるよう円形の受け皿（以下、受け皿と呼ぶ。）が付く。
そして、本体を氷バサミ使用時の要領で持ち、その受け皿に梅干を載せ、突起を梅干上部中心に突き刺すように本体を握り、種を抜き取る。
以上を特徴とする梅干の種除去具である。
【発明の効果】
【０００５】  本発明は、梅干を食する時に取り除かなければならない梅干の種を食する前に器具を用い除去する。したがって、直接梅干を食した時の種を取り除くわずらわしさや、誤飲の防止、なにより、衛生的である。
【発明を実施するための最良の形態】
【０００６】  （イ）手で持てる大きさの本体▲１▼の二つある開口側先端の一方に反対側の先端に向かって突起▲２▼を設け、もう一方の先端はクランク状に曲がり、なおかつ、その先に前説の突起を受けるよう円形の受け皿▲３▼を設ける。
（ロ）突起▲２▼の先端には、滑り止めの小さなギザギザ▲４▼（以下、突起先端のギザギザと呼ぶ。）を設ける。
（ハ）受け皿▲３▼は、断面をテーパー型のリング状にし、その受け皿▲３▼の下方向から軟性ビニール材から成る種落とし込みパッキン▲５▼（以下、パッキンと呼ぶ。）を挟み、本体と同材料でできた、リング状のパッキンホルダー▲６▼（以下、パッキンホルダーと呼ぶ。）でおさえる。
（二）パッキンには、種を抜くためのスリットを入れる。
本発明は、以上の構成より成っている。
本発明を使用する時は、上記の梅干種除去具の本体▲１▼を氷バサミ使用時の要領にて片手で持ち、受け皿▲３▼の上に梅干を載せ突起▲２▼を梅干上部中央に突き刺すように押し当て、本体を氷バサミ使用時の要領で軽く握る。このとき、突起先端のギザギザ▲４▼によって梅干を逃がすことなく突起▲２▼が梅干を貫通し、パッキン▲５▼を通り抜け、種だけを押し抜き除去する。
この結果、種に若干の果肉は付着するものの手を汚さず、種を除去する事が、出来た。
また、使用後の受け皿▲３▼、パッキン▲５▼、パッキンホルダー▲６▼は、分解し洗浄することが、容易であり衛生的である。
【図面の簡単な説明】
【０００７】
【図１】  本発明の斜視図
【図２】  本発明の分解斜視図
【図３】  本発明の使用例を示す斜視図
【符号の説明】
【０００８】        ▲１▼  本体
▲２▼  突起
▲３▼  受け皿
▲４▼  突起先端のギザギザ
▲５▼  パッキン
▲６▼  パッキンホルダー
【手続補正２】
【補正対象書類名】特許請求の範囲
【補正対象項目名】全文
【補正方法】変更
【補正の内容】
【特許請求の範囲】
【請求項１】
氷バサミ（トング）状のバネ力のあるＶ字型フレーム本体（以下、本体と呼ぶ。）の二つある開口側先端を一方は、その先端から反対側の先端側に向かって棒状の突起（以下、突起と呼ぶ。）を設け、もう一方の先端はクランク状に曲がり、なおかつ、その先に前説の突起を受けるようパッキンを挿入した円形の受け皿（以下、受け皿と呼ぶ。）が付き本体を氷バサミ使用時の要領で持ち、その受け皿に梅干を載せ、突起を梅干上部中心に突き刺すように本体を握り、種を抜き取る突起▲２▼を設けたことを特徴とする梅干種除去具。
【請求項２】
本体はバネ力のあるものとし、突起先端▲４▼にはギザギザを付け滑り止めを付けた特許請の求範囲、第１項の梅干種除去具。
【請求項３】
本体の受け皿に付くパッキンには、数本のスリットを入れた特許請の求範囲、第１項の梅干種除去具。
【手続補正３】
【補正対象書類名】図面
【補正対象項目名】全図
【補正方法】変更
【補正の内容】
【図１】
2005246004.tif 000006
【図２】
2005246004.tif 000007
【図３】
2005246004.tif 000008
(57)【要約】【課題】従来の暖簾とフォトフレームを、季節感の変化に応じさせ場所をとらずインテリア性を高め複合させる。【解決手段】住宅内の間仕切りとして吊り下げる暖簾と写真やカードなどをいれ卓上型、壁がけ型などがあるフォトフレームにおいて、吊り下げられた同一平面状に柔らかく軽い透明の素材を重ねポケット状にしたフォトフレーム部と暖簾部を構成することによって、場所をとらずに間仕切りとしての視線誘導効果のあるインテリア性の高いフォトフレームと暖簾の複合態の提供。【選択図】図１
2005246010.tif 000002
【特許請求の範囲】
【請求項１】
インテリアに属する暖簾、フォトフレームの複合態とし、住宅内上部から吊り下げて使用する住居者の通行を妨げない程度の柔らかさを持つ素材で、空間の仕切りになる暖簾の同一平面状部分に、使用者により内部の写真やカードが変更可能である、透明性もしくは軽さを持つ、ポリプロピレンやビニールもしくはプラスチックなどの素材で作成したフォトフレーム部を持つことにより、複合体として個々の特徴を活かし補いうる事を特徴に持つ吊り下げ型の間仕切り。
【発明の詳細な説明】
【技術分野】
【０００１】本発明は空間を分割し目隠しとなる暖簾と、使用者の選択した写真やカードを収めるフォトフレーム機能を併せ持つことによって季節ごとに取り替える必要がなく新たな価値を担う為のインテリアに関する。
【背景技術】
【０００２】従来の暖簾には、布もしくは他の素材に無地か柄や絵があしらわれており季節感を限定するか排除したものになっている。フォトフレームには卓上型や壁がけ型があり、それを設置する為にスペースを確保する必要がある。
【発明の開示】
【発明が解決しようとする課題】
【０００３】本発明は従来あった２つの機能を併せ持つことにより双方の課題を解決させるものである。その一つの機能である暖簾は空間の間仕切りとして固有の柄、絵や素材を視覚的に提供するものである為、使用者は季節ごとに取り替えたり、その季節感の問題をなくそうと選択を狭められる課題を持つ。もう一つの機能であるフォトフレームには卓上型、壁がけ型があるが機能させるための場所を用意する必要があり、それが不可能であれば使用出来ないという課題を持つ。
【課題を解決する為の手段】
【０００４】本発明はまず従来の暖簾とフォトフレームの各機能を損ねず課題を解決する使命を持つ。暖簾の機能としての空間の柔らかな仕切りやインテリア性と、フォトフレームの機能としての使用者の記録や好みを反映した二次元の作品を配置する事による視覚的満足を、損ねる事無く図１にあるように、同一平面状に重ねずに構成することによって、二つの機能を同時に成立させることが出来る。フォトフレーム部  図３  は季節感を求める視覚的満足について、内部の写真やその他二次元作品を使用者が変更すること  図４  によって課題を解決する。また従来のフォトフレームが持っていた設置スペースの確保については、吊り下げ型の間仕切りの中に機能させた図１本発明の特徴がその課題を解決する。
【発明の効果】
【０００５】本発明は建物内に吊り下げた同一平面状に暖簾部とフォトフレーム部を持つ構造により、間仕切りの持つ空間における視覚効果において、日本で古くから行われていた様に四季を通してふさわしいモチーフをあしらう事が可能であるので、フォトフレームの設置スペースがない住宅環境の中でも、一年を通して使用できる。使用者にとって隠す必要のある場所に、本発明を設置する事によって、視線誘導効果もあり、従来にないインテリアにおける効果を持つ。
【発明を実施する為の最良の形態】
【０００６】本発明の実施形態は、建物との設置部分とそこから平面状に吊り下げられる暖簾部分、また暖簾部分の同一平面状に配置したフォトフレーム部分で構成される。暖簾部分とフォトフレーム部分においては、素材として人間の通行の妨げとならずに空間を分割する素材として柔らかさか軽さもしくは両方を備えた従来の暖簾部分の素材と袋状に加工された透明ポリプロピレンや透明ビニールシートなどはその接着面以外を重ねず構成され、空間の間仕切りとして視覚効果の高い形態を特徴に持つ。
【実施例】
【０００７】以下、図面に従って本発明の実施例について説明する。まず、図１は本発明のフォトフレームと暖簾の複合態を示したものであり、フォトフレーム部１を含んだ暖簾部２と建物との設置部３から構成されている。建物との設置部３は従来の暖簾と同構成になっており、本発明の特徴はフォトフレーム部１を含んだ暖簾部２にある。【０００８】本発明の暖簾部２は図２に図示されているようにフォトフレーム部１を同一平面状に含む様構成されている。この暖簾部２とフォトフレーム部１は接着面以外重ねる事が無いので、フォトフレーム部１は写真またはカードを入れていない場合にはその透明性素材の特長により向こう側が見える構造になっている。【０００９】フォトフレーム部１は図４に示すように袋状に形成され、使用者が簡単に内部の写真も又はカード４を取り替えることができる。また、暖簾部２とフォトフレーム部１の接着面は、袋状になった入れ口部分以外を縫い付けてもよく、互いに穴を開けて部品止めにしてもよく、いわゆる接着面以外を重ねる事無く写真もしくはカードを出し入れできる状態に構成すればよい。【００１０】次に図２、図３、図４によって本発明からなる間仕切りの使用方法について説明する。図２は本発明がフォトフレームとしても暖簾としても機能している概要図であるが、フォトフレーム部に使用者が選択した写真又はカード４を入れる事が出来、目隠しと同時にそこに視覚誘導がされる機能を持つ。【００１１】また図３フォトフレーム部１にあるように、両面ともに透明な素材でつくられており出し入れ可能である為、何も入れていない状態から両面向きにカードを入れる状態まで、利用者が選択出来る。平面でサイズが合うものならば、写真やカードの他にもメモや押し花などが利用できる。【００１２】更に図４は季節ごとに柄を取り替えねばならなかった暖簾の課題から得た、本発明の使用例である。フォトフレーム部１の内部の写真又はカード４を取り替えることによって、季節に合わせたインテリア性を持った間仕切りとなる。
【図面の簡単な説明】
【図１】本発明のフォトフレームと暖簾の複合態を示した斜視図
【図２】図１に示した本発明の説明概要図
【図３】図１に示した本発明の説明概要図
【図４】本発明の使用例を示した説明概要図
【符号の説明】
１  フォトフレーム部
２  暖簾部
３  建物との設置部
４  写真又はカード
【図１】
2005246010.tif 000003
【図２】
2005246010.tif 000004
【図３】
2005246010.tif 000005
【図４】
2005246010.tif 000006
(57)【要約】      （修正有）【課題】風呂の湯船の容量（大きさ）を変更できるようなフェンス付湯蓋を提供する。【解決手段】湯船の上に取り外しができるフェンスを取り付ける。フェンスは四方に必要となる。二方は湯船の蓋を折りたたみ式にして閉じたときに蓋１，２，４，５によりフェンスとなり，残りの二方は蓋３−１ａ，３−１ｂ，６−１ａ，６−１ｂをそれぞれ左右に開くことによりフェンスとなる。【選択図】図３
2005246007.tif 000002
【特許請求の範囲】
【請求項１】
現在、風呂の湯船は容量が固定されており、入る人の条件が考慮されていない。入る人の体の大小があり、また、入る人数も一人とは限っていない。条件の異なった人が後で入ると湯の量が多かったり、少なかったりと非常に効率が悪くなっいる。当発明は上記欠点をカバーするにために、湯船の上部に必要に応じて取り付け、取り外しが自由なフェンスを設置する。
【発明の詳細な説明】
【技術分野】
【０００１】本発明は、湯船の上に必要に応じて取り外し自由なフェンスを設置できるようにした。
【背景技術】
【０００２】従来は、湯船の上にフェンスを取り付ける装置はなかった。
【発明の開示】
【発明が解決するための課題】
【０００３】現在、市場に出ている湯船は容量が固定されており、入る人の条件が考慮されていない。入る人の体の大小があり、また、入る人数も一人とは限っていない。条件の異なった後で入ると湯の量が多かったり、少なかったりと非常に効率が悪くなっている。
【課題を解決するための手段】
【０００４】必要に応じて湯船の上にフェンスを付けるられるようにした。
【発明の効果】
【０００５】水・燃料・時間の節約ができる。
【図面の簡単な説明】
【０００６】
【図１】は、折りたたみ式にした湯蓋を開いた（湯船に蓋をした）状態。
【図２】は、折りたたみ式にした湯蓋を閉じた（湯船の蓋をとった）状態。
【図３】は、閉じた湯船の３−１ａ・３−１ｂ・６−１ａ・６−１ｂを左右に開きフェンスをした状態。
【図１】
2005246007.tif 000003
【図２】
2005246007.tif 000004
【図３】
2005246007.tif 000005
(57)【要約】      （修正有）【課題】片手で簡単に歯ぶらしに歯みがきペーストをつけることを可能にする歯みがきペースト入れを提供する。【解決手段】歯みがきペースト入れを小さなびん型の容器にし、上から押すことでその圧力の逃げ場として上方チューブから歯みがきペーストが出てくるように上から押す押しぶたの下部分が本体底の溝に入るようにしたワンプッシュ歯みがき入れ。【選択図】図１
2005246028.tif 000002
【特許請求の範囲】
【請求項１】
歯みがきペースト入れをびん型にし、歯ぶらし置き台（プッシュ台）に乗せた歯ぶらしで上方から下方へ押すと、それと連結した内部の押しぶたが中の歯みがきペーストを圧縮し、その圧力の逃げ場として、上方にある押しぶたと連結したチューブから歯みがきペーストが押し出されるワンプッシュ歯みがき入れ。
【発明の詳細な説明】
【技術分野】
【０００１】  本発明は、歯ぶらしでワンプッシュするだけで上から歯みがき用ペーストが出てくる歯みがき入れである。
〔背景技術〕【０００２】  従来、チューブに入った歯みがき入れはあった。
〔発明の開示〕
〔発明が解決しようとする課題〕【０００３】  そのために、次のような問題点があった。
（イ）使用時に、両手を使いふたを開け、又両手でチューブを押さねばならなかった。
（ロ）半分位使用済みのチューブは、両手で押してもうまく歯みがきペーストが出ず、時間がかかる。
本発明は、これらの問題点を解決するためになされたものである。
〔課題を解決するための手段〕【０００４】  底の平らな小型の容器の底の部分に溝を掘り、そこに内側から中の歯みがきペーストを押しながらはめ込むようにして、外側にもれ出ないようにして、同時に内側の押しぶたにつけたチューブから歯みがきペーストが上部に出るようにしたものである。油圧の原理を利用した、小さな力で大きな圧力がかかるワンプッシュ歯みがき入れである。
〔発明の効果〕【０００５】  両手を使わず、片手で小さな力で簡単に歯みがきペーストを出すことができ、急いでいる時もとても便利である。
〔発明を実施するための最良の形態〕【０００６】  以下、本発明の実施の形態について説明する。
（イ）本体の底部分に溝をつくり（１）内部にある押しぶた（２）を歯ぶらし置き台（プッシュ台）（３）の上から押したとき、押しぶたの先端が入るようにする。
（ロ）押しぶた（２）の上部には、歯ぶらし置き台（プッシュ台）（３）と歯みがきペーストの出るチューブ（４）が連結されており、本体ふた（５）を突きぬける部分にはすき間があり、自由に上下動くものとする。
（ハ）本体と押しぶたの間（内部）（６）には歯みがきペーストが密に入れてあり、押しぶた（２）を上部歯ぶらし置き台（３）から下方へ押すと、その圧力で唯一の圧力の逃げ場である歯みがきペーストの出るチューブ（４）から歯みがきペーストが出てくるようにする。
（ニ）歯みがきペーストの出るチューブには、ワンタッチで開閉できるチューブに連結したふた（７）をつけ、歯ぶらしの先を使い片手でも簡単に開閉できるようにする。
本発明は以上のような構成で、これを使用するときは、歯ぶらし（８）を、歯ぶらし置き台（３）の上に置き、上から下方へプッシュする。歯みがきペーストの出方を見ながら力は調節する。
【図面の簡単な説明】
【０００７】〔図１〕本発明の斜視図
〔図２〕本発明の一部を切り欠いた斜視図
〔図３〕本発明の断面図
〔図４〕本発明の実施例を示す斜視図
【符号の説明】
【０００８】１  本体底部分の溝
２  押しぶた
３  歯ぶらし置き台（プッシュ台）
４  歯みがきペーストの出るチューブ
５  本体ふた
６  本体と押しぶたの間（内部）
７  ふた
８  歯ぶらし
９  歯みがきペースト
【図１】
2005246028.tif 000003
【図２】
2005246028.tif 000004
【図３】
2005246028.tif 000005
【図４】
2005246028.tif 000006